【事件の表示】
　特願２００１−１４９０４３「毛髪処理剤組成物」拒絶査定不服審判事件〔平成１４年１１月２７日出願公開、特開２００２−３３８４３８〕について、次のとおり審決する。
【結　論】
　本件審判の請求は、成り立たない。
【理　由】
第１　手続の経緯
　本願は、平成１３年５月１８日の出願であって、平成２３年５月１８日付けで拒絶査定がなされ、これに対し、同年８月２４日に拒絶査定不服審判の請求がなされるとともに手続補正書が提出されたが、その後、当審において、平成２５年６月１１付けで拒絶理由が通知され、同年８月９日に手続補正がなされるとともに意見書が提出されたものである。
　
第２　本願発明
　本願の請求項１に係る発明は、平成２５年８月９日受付けの手続補正書の特許請求の範囲の請求項１に記載された事項により特定される次とおりのものと認められる（以下、「本願発明」という。）。
　
「【請求項１】　次の成分（Ａ）、（Ｂ）及び（Ｃ）
（Ａ）　一般式（１）で表されるアミドアミン化合物又はその塩
　　　Ｒ１ＣＯＮＨ（ＣＨ２）ｍＮ（Ｒ２）２　　　（１）
〔式中、Ｒ１は炭素数１５〜２３の脂肪族炭化水素基を示し、Ｒ２は炭素数１〜４のアルキル基を示し、ｍは２〜４の整数を示す。〕
（Ｂ）　ジペンタエリトリトールの有機酸エステルであって、当該有機酸の炭素数が８〜２２であり、かつ構成有機酸中、少なくとも１種のヒドロキシ酸を５０重量％以上含むもの
（Ｃ）　メチルヒドロキシプロピルセルロース、ヒドロキシエチルセルロース、ヒドロキシプロピルセルロース及びカルボキシメチルセルロースナトリウムからなる群より選ばれるセルロース系高分子化合物
を含有し、ｐＨが３〜８である毛髪処理剤組成物。」
　
第３　当審の拒絶理由
　当審において、補正前（平成２３年８月２４日受付けの手続補正によるもの）の請求項１について、平成２５年６月１１日付けで通知した拒絶の理由は、次のとおりである。
　
　本件出願の請求項１に係る発明は、その出願の日前の特許出願であって、その出願後に出願公開がされた下記の特許出願の願書に最初に添付された明細書、特許請求の範囲又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができない。
　
　　　　　　　　　　　　　　　　　記
　
引用出願１：特願２００１−６８７１３号（特開２００１−２１３７３９号）
　
第４　当審の判断
　上記「第３　当審の拒絶理由」に対し、平成２５年８月９日受付けの手続補正により、本願発明は、補正前の請求項１に基づいて、上記「第２　本願発明」のとおり補正されている。
　この補正により、上記当審の拒絶理由が解消したか否かについて、以下に検討する。
　
１　引用出願の記載事項
　当審の拒絶理由で引用した特許出願の願書に最初に添付された明細書又は特許請求の範囲（以下、「引用出願１」という。）には、以下の事項が記載されている。なお、以下、下線は当審による。
　
（１ａ）「【請求項１】
エステル類及びアルコール類を含有することを特徴とする毛髪処理剤配合用組成物
・・・
【請求項５】
毛髪処理剤配合用組成物が、更に
ステアリン酸ジエチルアミノエチルアミド、ステアリン酸ジメチルアミノプロピルアミド
から成る群より選択される少なくとも一種の化合物を含有する
・・・
【請求項７】
毛髪処理剤配合用組成物がヘアコンディショナー配合用組成物
【請求項８】
請求項１乃至請求項７の何れかに記載の毛髪処理剤配合用組成物を含有する毛髪処理剤
【請求項９】
毛髪処理剤がヘアコンディショナー
　
（１ｂ）「【０００１】
【発明の属する技術分野】本発明は、毛髪処理剤配合用組成物及び毛髪処理剤に関する。特に、本発明は、
毛髪処理剤を調製するための毛髪処理剤配合用組成物、並びにこれらより得られるヘアトリートメント、リンス等のヘアコンディショナー
　
（１ｃ）「【００１８】
【発明の実施の形態】以下、本発明を詳細に説明する。本発明の毛髪処理剤配合用組成物には、エステル類を含有する。
エステル類としては、多価アルコール（例えばグリセリン、ペンタエリスリトール等）の脂肪酸エステル、高級脂肪酸エステル等が挙げられる
【００１９】具体的には、オレイン酸ステアリン酸モノ・ジグリセリド（即ち、オレイン酸とステアリン酸との混合酸のモノ及びジグリセリド混合物）、親油型モノステアリン酸グリセリン、親油型モノオレイン酸グリセリン、ミリスチン酸イソプロピル、パルミチン酸オクチル、
パルミチン酸セチル
【００２０】例えば、ヘアコンディショナー配合用組成物及び仕上げ剤配合用組成物には、親油型モノステアリン酸グリセリンを含有してよい。ヘアコンディショナー配合用組成物には、例えばパルミチン酸セチルを含有してよい。
【００２１】本発明の毛髪処理剤配合用組成物には、
アルコール類を含有する。アルコール類としては、例えば低級・高級アルコール、多価アルコール等が挙げられる
【００２２】具体的には、ミリスチルアルコール、セタノール、オクチルドデカノール、
ベヘニルアルコール
　
（１ｄ）「【００２５】
例えば、本発明の毛髪処理剤配合用組成物には、添加剤として
等を含有してよい
【００２６】具体的には、硬化油（水添パーム油脂肪酸トリグリセリド、水添牛脂脂肪酸トリグリセリド等）、パーシック油、ラノリン、オリブ油、セチル硫酸ナトリウム、ミリストイルメチルタウリンナトリウム、ミリスチン酸、ステアリン酸、ラノリン脂肪酸、パラフィン、ミツロウ、キャンデリラロウ、
ステアリン酸ジエチルアミノエチルアミド、ステアリン酸ジメチルアミノプロピルアミド
【００２７】例えば、ヘアコンディショナー配合用組成物に油脂類を含有してよい。ヘアコンディショナー配合用組成物、染毛剤配合用組成物、及びウェーブ剤配合用組成物に、例えばアニオン界面活性剤を含有してよい。
ヘアコンディショナー配合用組成物
に、例えば有機酸を含有してよい
【００２８】ヘアコンディショナー配合用組成物及び仕上げ剤配合用組成物に、例えばロウ類を含有してよい。
ヘアコンディショナー配合用組成物に、例えば脂肪酸アルキルアミノアルキルアミド類
を含有してよい
　
（１ｅ）「【００３５】本発明のヘアコンディショナーは、上記ヘアコンディショナー配合用組成物を含有する。ヘアコンディショナー配合用組成物としては、一種又は二種以上使用してよい。
【００３６】更に、
本発明のヘアコンディショナーには、添加剤として防腐剤、有機酸類、添加組成物、アルコール類、アニオン界面活性剤、香料、水等を含有してもよい
【００３７】防腐剤としては、メチルパラベン、プロピルパラベン等のパラベン類が挙げられる。
有機酸類としては、乳酸、Ｄ，Ｌ−リンゴ酸等が挙げられる
添加組成物としては、例えばエステル類と油脂類等を含有する混合物が挙げられる
香料としては、ヘアコンディショナーに通常使用されるものであってよい
　
（１ｆ）「【００７８】
【実施例】以下、実施例により本発明を更に具体的に説明する。
（
毛髪処理剤配合用組成物の調製
・実施例１〜７
表１に示す配合量（ｋｇ）の配合成分を容器に入れ混合し、この混合物を表１に示す温度まで加熱し、撹拌して完全溶解させ、本発明の各毛髪処理剤配合用組成物（実施例１〜７）を調製した。
【００７９】
【表１】
【００８０】（
ヘアコンディショナーの調製
・実施例８〜１０
初期精製水に必用に応じ乳酸、防腐剤、セチル硫酸ナトリウム等を加え、表２に示す温度まで加熱した。一方、上記で得られたヘアコンディショナー配合用組成物（実施例１、３、又は４）に、必用に応じベヘニルアルコール、フェノキシエタノール、添加組成物、防腐剤等を混合し、これを表２に示す温度まで加熱し均一溶解させた。
【００８１】この均一溶解物を前記加熱した水（又は水溶液）に撹拌しながら加えて乳化させた後、この乳化物を撹拌しながら表２に示す温度まで冷却し、香料、及び必要に応じＤ，Ｌ−リンゴ酸等を添加し、
更に精製水（補水）を加えて全重量が１００ｋｇになるように調整し、均一混合して、本発明の各ヘアコンディショナー（実施例８〜１０）を調製した
【００８２】
【表２】
【００８３】表２中、１）〜３）は以下を表す。
１）商品名「ＣＡＥ」（味の素社製）。
２）配合成分（重量％）：ジペンタエリトリット脂肪酸エステル［ジペンタエリスリトールと混合脂肪酸（１２−ヒドロキシステアリン酸：ステアリン酸：ロジン＝４：１．５：０．５）とのフルエステル］
３）パラベン類。」
　
２　引用出願１に記載された発明
　引用出願１の上記（１ｆ）によると、実施例９には、実施例３のヘアコンディショナー配合用組成物、乳酸、添加組成物“２）”、ベヘニルアルコール、フェノキシエタノール、香料、及び精製水からなる全量で１００ｋｇのヘアコンディショナーが記載されている（段落【００８２】の【表２】及び段落【００８１】参照）。
　そして、実施例３のヘアコンディショナー配合用組成物は、パルミチン酸セチル、ベヘニルアルコール、及びステアリン酸ジエチルアミノエチルアミドからなること（段落【００７９】の【表１】参照）、添加組成物“２）”は、ジペンタエリトリット脂肪酸エステル［ジペンタエリスリトールと混合脂肪酸（１２−ヒドロキシステアリン酸：ステアリン酸：ロジン＝４：１．５：０．５）とのフルエステル］、ヤシ油、パルミチン酸イソプロピル、及びアジピン酸ジイソブチルを含むことが記載されている（段落【００８３】参照）。
　以上のことから、引用出願１には、次の発明（以下、「先願発明」という。）が記載されていると認められる。
　
「パルミチン酸セチル、ベヘニルアルコール、ステアリン酸ジエチルアミノエチルアミド、乳酸、ジペンタエリトリット脂肪酸エステル［ジペンタエリスリトールと混合脂肪酸（１２−ヒドロキシステアリン酸：ステアリン酸：ロジン＝４：１．５：０．５）とのフルエステル］、ヤシ油、パルミチン酸イソプロピル、アジピン酸ジイソブチル、フェノキシエタノール、香料、及び精製水を含有するヘアコンディショナー。」
　
３　対比
（１）先願発明の「ステアリン酸ジエチルアミノエチルアミド」は、
本願発明の
「（Ａ）　一般式（１）で表されるアミドアミン化合物又はその塩
　　　Ｒ１ＣＯＮＨ（ＣＨ２）ｍＮ（Ｒ２）２　　　（１）
〔式中、Ｒ１は炭素数１５〜２３の脂肪族炭化水素基を示し、Ｒ２は炭素数１〜４のアルキル基を示し、ｍは２〜４の整数を示す。〕」
において、Ｒ１が炭素数１７の脂肪族炭化水素基、Ｒ２が炭素数２のアルキル基、ｍが２であるアミドアミン化合物に相当する。
　この点は、本願明細書の段落【０００９】の「成分（Ａ）であるアミドアミン化合物（１）は、・・・。アミドアミン化合物（１）の具体例としては、・・・なかでも、性能、安定性、入手容易性等の面で、
ステアリン酸ジエチルアミノエチルアミド
　
（２）先願発明の「ジペンタエリトリット脂肪酸エステル［ジペンタエリスリトールと混合脂肪酸（１２−ヒドロキシステアリン酸：ステアリン酸：ロジン＝４：１．５：０．５）とのフルエステル］」は、
１２−ヒドロキシステアリン酸が、少なくとも１種のヒドロキシ酸であり、炭素数が１８であり、ジペンタエリトリット脂肪酸エステル（ジペンタエリトリトールの有機酸エステルと同じ）を構成する脂肪酸の約６６．７％であるから、
本願発明の
「（Ｂ）　ジペンタエリトリトールの有機酸エステルであって、当該有機酸の炭素数が８〜２２であり、かつ構成有機酸中、少なくとも１種のヒドロキシ酸を５０重量％以上含むもの」
において、有機酸の炭素数が１８であり、かつ構成有機酸中、少なくとも１種のヒドロキシ酸を５０重量％以上含むものに相当する。
　この点は、本願明細書の実施例で使用されている「ジペンタエリトリット脂肪酸エステル＊１」について、「＊１：
１２−ヒドロキシステアリン酸６６％
ステアリン酸
ロジン酸
　
（３）先願発明の「ヘアコンディショナー」は、本願発明の「毛髪処理剤組成物」に相当する。
　この点は、本願明細書の段落【００２７】の「本発明の毛髪処理剤組成物の製品形態としては、ヘアリンス、
ヘアコンディショナー
　
（４）先願発明は、さらに、パルミチン酸セチル、ベヘニルアルコール、乳酸、ヤシ油、パルミチン酸イソプロピル、アジピン酸ジイソブチル、フェノキシエタノール、香料、及び精製水を含有するが、本願発明は、請求項１の発明特定事項から明らかなとおり、成分（Ａ）、（Ｂ）及び（Ｃ）を含有するものであって、他の成分を含む態様を排除するものではないから、この点は相違点にはならない。
　また、本願明細書の段落【００１７】には、「本発明の毛髪処理剤組成物は、成分（Ａ）と（Ｂ）を、
水
乳酸
高級アルコール
脂肪酸
イソプロピルミリステート、イソプロピルパルミテート等のエステル油
保湿剤
防腐剤
香料
等を、目的に応じて含有させることができる
　
（５）以上のことから、本願発明と先願発明とは、以下の一致点及び一応の相違点１〜２を有する。
　
一致点：
「次の成分（Ａ）、（Ｂ）
（Ａ）　一般式（１）で表されるアミドアミン化合物又はその塩
　　　Ｒ１ＣＯＮＨ（ＣＨ２）ｍＮ（Ｒ２）２　　　（１）
〔式中、Ｒ１は炭素数１７の脂肪族炭化水素基を示し、Ｒ２は炭素数２のアルキル基を示し、ｍは２の整数を示す。〕
（Ｂ）　ジペンタエリトリトールの有機酸エステルであって、当該有機酸の炭素数が１８であり、かつ構成有機酸中、少なくとも１種のヒドロキシ酸を５０重量％以上含むもの
を含有する毛髪処理剤組成物。
　
相違点１：
　本願発明は、毛髪処理剤組成物に、さらに成分（Ｃ）の「メチルヒドロキシプロピルセルロース、ヒドロキシエチルセルロース、ヒドロキシプロピルセルロース及びカルボキシメチルセルロースナトリウムからなる群より選ばれるセルロース系高分子化合物」を含有するのに対し、先願発明はこれを含有しない点
　
相違点２：
　本願発明は、毛髪処理剤組成物について「ｐＨが３〜８である」と特定しているのに対し、先願発明はｐＨについて特定していない点
　
４　判断
　上記一応の相違点１〜２について検討する。
　
（１）一応の相違点１について
ア　引用出願１には、上記（１ａ）〜（１ｂ）のとおり、少なくともエステル類及びアルコール類を含有するヘアトリートメント、リンス等のヘアコンディショナー用の毛髪処理剤配合用組成物、及びこれを含有するヘアコンディショナーなどの毛髪処理剤が記載されている。そして、エステル類として、パルミチン酸セチル、アルコール類として、ベヘニルアルコールが例示されているところ（上記（１ｃ）参照）、先願発明では、これらを配合し、さらにこれら以外の成分を配合して、具体的なヘアコンディショナーの処方としている。
　このことは、引用出願１に、ヘアコンディショナーには、例えば脂肪酸アルキルアミノアルキルアミド類、シリコン類等を含有してよいことや（上記（１ｄ）参照）、添加剤として防腐剤、有機酸類、添加組成物、アルコール類、アニオン界面活性剤、香料、水等を含有してもよいことが記載されているように（上記（１ｅ）参照）、具体的なヘアコンディショナーの処方とするためには、引用出願１で必須の成分とされている２成分以外に、通常のヘアコンディショナーに配合される成分を適宜配合するのが当業者の技術常識であることから、当然のことである。
　ところで、引用出願１には、上記のとおり、様々な添加剤を含有させて良いことが記載されているものの、本願発明の成分（Ｃ）に相当する成分を配合することについては記載されていない。
　
イ　そこで、毛髪処理剤組成物の技術分野における本願発明の成分（Ｃ）、すなわち、ヒドロキシエチルセルロースなどのセルロース系高分子の当業者の認識ついて検討するに、これらは、後記、＜本出願時の周知技術を示す文献＞の文献Ａ〜Ｇに示されるとおり、アミドアミンなどの陽イオン性界面活性剤を配合したヘアリンスやヘアコンディショナー等の毛髪処理剤組成物において、増粘剤や安定剤などとして、本出願前から広く一般に使用されているものである。
　そして、コアコンディショナーのような毛髪処理剤組成物において、ローション状やクリーム状などの具体的な処方の剤型に応じた粘度を調整することや、組成物の安定化を図ることは、例えば、後記、＜本出願時の周知技術を示す文献＞の文献Ａ〜Ｂに記載されているとおり、当業者に周知の技術的事項である。
　
ウ　そうしてみると、引用出願１に増粘剤や安定剤の使用について明記されていなくても、「本発明のヘアコンディショナーには、添加剤として防腐剤、有機酸類、添加組成物、アルコール類、アニオン界面活性剤、香料、水等を含有してもよい」（上記（１ｅ）参照）との記載、及び、具体的な処方とするにあたり、ヘアコンディショナーに使用し得る周知の材料を適宜選択して、剤型に応じた粘度を調整することや安定化を図ることが、当業者に周知の技術的事項であることに照らせば、先願発明において、ヘアコンディショナーに普通に配合される成分であって、増粘剤や安定剤などとして周知のヒドロキシエチルセルロース等のセルロース系高分子、すなわち、本願発明の成分（Ｃ）を配合したヘアコンディショナーとすることも、引用出願１に記載されているに等しい事項といえる。
　
　よって、一応の相違点１は、課題解決のための具体化手段における微差、すなわち、周知技術、慣用技術の付加であって、新たな効果を奏するものではなく、実質的な相違点ではない。
　
エ　以上のとおりであるが、本願発明の成分（Ｃ）に関する本願明細書の記載についても検討する。
　本願明細書の段落【００１９】には、「
本発明の毛髪処理剤組成物には、組成物の安定性向上の目的で、水溶性ポリマーを含有させることができる
水溶性ポリマーとしては
天然高分子又はその誘導体が挙げられる
　そして、これに続く段落【００２４】には、「
天然高分子又はその誘導体としては、例えば
メチルヒドロキシプロピルデンプン等のデンプン系高分子化合物；メチルヒドロキシプロピルセルロース、ヒドロキシエチルセルロース、ヒドロキシプロピルセルロース、カルボキシメチルセルロースナトリウム等のセルロース系高分子化合物
などが挙げられ、特にヒドロキシプロピルセルロース、ヒドロキシエチルセルロースが好ましい
　一方で、比較例１〜３においても「ヒドロキシエチルセルロース」が配合されている。
　そして、これ以外には成分（Ｃ）について記載したところはない。
　
　これら本願明細書の記載によれば、本願発明の成分（Ｃ）は、少なくとも出願当初の認識としては、組成物の安定性向上の目的で配合してもよい程度の技術的意味しか持たない任意成分であるに留まり、従来技術と比較して有利な効果や新たな効果を奏するものとして配合される成分ではないこと、毛髪処理剤組成物に普通に配合される成分として、実施例・比較例を問わずに配合されているものであることが理解できる。
　
　よって、先に検討したとおり、先願発明において、ヒドロキシエチルセルロース等のセルロース系高分子をも配合することは、周知・慣用技術の付加であって、新たな効果を奏するものではないとの判断は、本願明細書の開示からも妥当なものである。
　
（２）一応の相違点２について
ア　本願明細書には、ｐＨを３〜８とすることに関し、段落【００１８】に、「本発明の毛髪処理剤組成物は、酸を用いて、２０重量倍に水で希釈した際のｐＨが３〜８になるように調整し、また成分（Ａ）のアミドアミン化合物（１）を中和するのが好ましい。・・・酸は過剰に使用しても組成物に悪影響を与えないため、十分な量の酸を組成物に加えて、組成物中にアミンの固体粒子が本質的に全く存在しないようにし、毛髪処理剤組成物の最終のｐＨが３〜８、特に３〜５となるように調整するのが好ましい。」と説明されている。
　このことからすると、組成物のｐＨが３〜８であることは、本願発明の成分（Ａ）のアミドアミン化合物を中和し、組成物中にアミンの固体粒子が存在しないようにすることを目的としていると解される。
　
イ　一方、ヘアコンディショナーのような毛髪処理剤組成物のｐＨが３〜８程度であること、アミドアミンを配合する場合は、中和すると水溶性が増加することは、後記、＜本出願時の周知技術を示す文献＞の文献Ｃ〜Ｄ及びＨ〜Ｊに示されるとおり、本出願時の当業者に自明な事項である。
　
ウ　よって、先願発明のヘアコンディショナーのｐＨについて、引用出願１に記載されていなくても、アミドアミンであるステアリン酸ジエチルアミノエチルアミド及び乳酸が配合されていることからも理解できるとおり、アミドアミンが中和されているとともに、ｐＨ３〜８程度となっていることは当業者に自明な事項といえ、相違点２は実質的な相違点ではない。
　
（３）以上のとおりであるから、本願発明と先願発明は実質的に同一である。
　
＜本出願時の周知技術を示す文献＞
　
文献Ａ：日本化粧品技術者会編、「最新化粧品科学−改訂増補ＩＩ−」、平成４年７月１０日、株式会社薬事日報社、１９４、１９６〜１９８頁
（Ａ１）「５・３・４　
リンスに用いられる陽イオン性界面活性剤
　陽イオン性界面活性剤は，毛髪のケラチン蛋白質に吸着して，髪を柔らかくし，くし通りをよくする効果がある。
　・・・
　現在広く使用されている陽イオン性界面活性剤はモノアルキル型とジアルキル型が中心である。・・・
　一方，分岐型やアミノ酸エステル型，
アミドアミン型などの新規陽イオン性界面活性剤の開発も盛んになってきている
（Ａ２）「５・３・５　
リンスに用いられる添加剤
　毛髪を柔らかくし，くし通りを良くし，静電気を防止するなどリンス本来の目的の他に毛髪の表面保護，光沢の付与，セット性の改良などのために，油脂類，
高分子物質
のような特殊成分を添加するのが通例である
最近は安定配合技術が向上し
ローション状の商品にはこれらの成分を安定に保つために乳化剤が使用され
（Ａ３）１９７頁の「表−１４　リンスに用いられる添加剤」には、高分子物質に関し、その「主要機能」として「保湿」、「整髪」、「増粘」、「
分散安定化
ヒドロキシエチルセルロース
（Ａ４）１９６〜１９８頁にかけての「５・３・６　処方例」には、（１）オイルリンス、（２）ダメージヘア用
クリームリンス
クリームリンス
　
文献Ｂ：鈴木正人監修、「機能性化粧品ＩＩＩ」、２０００年１月１日、株式会社シーエムシー、７５〜７７頁
（Ｂ１）「４　
リンス・コンディショナーの成分と機能
　・・・このような生活様式の変化に対応するために，
カチオン性界面活性剤を主体としたリンス・コンディショナーが普及してきた
（Ｂ２）「カチオン性界面活性剤の安全性や生分解性に起因する魚毒性など環境への影響は，アルキル鎖長や４級アンモニウム塩に置換する官能基の種類等の違いにより，大きく左右される。・・・また，
３級アミドアミン型界面活性剤であるステアリン酸ジエチルアミノエチルアミドを酸性アミノ酸であるグルタミン酸で中和する技術
（Ｂ３）「リンス・コンディショナーに含まれるこれらの油剤の種類や量によって，髪の毛の仕上がりに違いが出てくる。
これらの油剤を安定に配合するために
製品の粘度を調整する目的でヒドロキシプロピルメチルセルロースやヒドロキシエチルセルロース
などが用いられている
製品の安定性を保つために
　
文献Ｃ：特開昭６２−１７５４１８号公報
（Ｃ１）「２．〔特許請求の範囲〕
（１）０．５乃至１５重量％のポリビニルピロリドン／酢酸ビニル共重合体；０．１乃至１０重量％の少くとも１つの親水性カチオン性第４級アンモニウム塩であって、その分子中に少くとも８個の炭素原子を有するアルキル基又はアルケニル基を含まない該
第４級アンモニウム塩
水溶性非イオン性セルロースポリマー
ｐＨが３乃至６の範囲内
ヘアリンスコンディショニング組成物
（Ｃ２）「
ヘアコンディショニング組成物の第３の必須成分は増粘剤としても又コンディショニング剤としても働く水溶性非イオン性セルロースポリマーである
適当なセルロースポリマーはヒドロキシエチルセルロース及びヒドロキシプロピルメチルセルロースから成る群から選ばれるが、ヒドロキシエチルセルロースが好適である
（Ｃ３）「
これらのセルロースポリマーは粘度調整によって経時中の組成物に安定性を与える
（Ｃ４）「本発明の
ヘアコンディショナーのｐＨは酸性で約３乃至６
　
文献Ｄ：特開平７−２６２９号公報
（Ｄ１）「【００３２】・・・このアミドアミン化合物は通常水に不溶性である。しかしながら
ｐＨ調整後には、このアミドアミン化合物の水溶性は増加する
【００３３】
アミドアミン組成物のｐＨを調整するために用いる酸は、本質的に任意の有機酸または鉱物酸である
通常は十分量の酸を加えることによって、透明なコンディショニング組成物の最終ｐＨを約４〜約７、および好ましくは約４．５〜約６．５に調整する
（Ｄ２）「【００４８】
また任意の増粘剤を透明なコンディショニング組成物に含むことによって、組成物の美観を向上させたり組成物の毛髪への適用を容易にしたりすることもできる
増粘剤の例としては
ヒドロキシプロピルセルロース
ヒドロキシエチルセルロース
　
文献Ｅ：特開平８−３２３１５６号公報
（Ｅ１）「【００４２】
シャンプー、そして一般には個人使用向けの洗剤組成物は、例えば、シャワー用ゲル、クレンジングゲル及びローションは、本発明の表面活性剤の他に、この種の処方物中に存在する慣用添加剤を含有することができる
【００４３】具体的に言えば、・・・、・組成物の起泡性を向上させ又は該組成物の粘度を向上させる能力の故に一般に使用される脂肪酸のアミド誘導体（これらのアミドが一般に選択される）、・ローヌ・プーラン社によって商品名「ＭＩＲＡＰＯＬ　Ａ１５」又は「ＭＩＲＡＰＯＬ　５５０」の下に販売される合成陽イオン性重合体、ローヌ・プーラン社によって販売される商品名「ＪＡＧＵＡＲ　Ｃ１３Ｓ」、「ＪＡＧＵＡＲ　Ｃ１６２」）の糖類の陽イオン性誘導体、又はセルロースの陽イオン性誘導体（ユニオン・カーバイド社によって販売される商品名「ＰＯＬＹＭＥＲ　ＪＲ」）の如き
陽イオン性コンディショナー
【００４４】また、これらの組成物は、
処方物の外観又は粘度を調整する化学剤、例えば
セルロース誘導体（ヒドロキシエチルセルロース、カルボキシメチルセルロース）のような粘度又は安定性を向上させる重合体を含有することができる
【００４５】
通常のシャンプー又はクレンジング用ゲル組成物
・本発明の表面活性剤　　　　　　１〜１５％
・陰イオン性表面活性剤　　　　　０〜１５％
・非イオン性表面活性剤　　　　　０〜１５％
・脂肪酸アルカノールアミド　　　０〜５％
・
増稠剤
・
コンディショナー
・香料　　　　　　　　　　　　　０〜２％
・保存剤　　　　　　　　　　　　０〜２％
・ふけ防止剤　　　　　　　　　　０〜２％
・水　　　　　　　　　　　全体を１００％にする量」
　
文献Ｆ：特開２０００−３５５５２４号公報
（Ｆ１）「【０００５】また、
各種化粧料の粘度を調整したり、剤型を安定化したり、塗布時ののび（チキソトロピー性）を付与する目的で
カルボキシメチルセルロース、ヒドロキシプロピルメチルセルロース
がよく用いられる
　
文献Ｇ：特開２００１−４８７２９号公報
（Ｇ１）「【００２３】また、
この化粧料が毛髪化粧料である場合には、他の毛髪化粧品原料として
界面活性剤
等を配合することができる
【００２４】また、
この界面活性剤としては
等の陽イオン性界面活性剤
　・・・
【００２７】また、
この毛髪化粧料が水系である場合には、精製水等の水の他に、分散安定化、あるいは整髪のために
カルボキシメチルセルロース
ヒドロキシエチルセルロース
等の水溶性高分子
水系毛髪化粧料の粘度調節剤として、これらの水溶性高分子
を配合することができる
　
文献Ｈ：特開昭５７−５３４０２号公報
（Ｈ１）「この場合、当該組成物の５％水溶液のｐＨが
通常のヘアリンス剤のそれと同じｐＨ３〜８になるように、クエン酸、乳酸等の有機酸
を使用して調整する
　
文献Ｉ：特開平３−５８９０８号公報
（Ｉ１）「・・・アミドアミン化合物は非水溶性である。しかし、
酸で中和させた後は、このアミドアミン化合物は水分散性あるいは水溶性となる
　
アミドアミン化合物を中和するのに用いる酸は、基本的には遊離アミン窒素を中和するのに十分な酸強度を有するいかなる有機酸あるいは無機酸であってもよい
毛髪トリートメント組成物の最終ｐＨを約４〜約７の範囲内に、さらに望ましくはｐＨを約５．５〜約６．５の範囲内に調整するのに十分な量の酸を添加する
　
文献Ｊ：特開平１１−７９９４７号公報
（Ｊ１）「【０００７】本発明におけるグリコール酸の含有量は、アミドアミン化合物に対して、０．５〜１．５当量であり、好ましくは０．６〜１．４当量である。
本発明の毛髪用組成物のｐＨ値は、弱酸性が好ましく３〜６であり、更に好ましくは３．５〜５．５である
　
５　まとめ
　よって、本願発明は、引用出願１に記載された発明と同一であるから、特許法第２９条の２の規定により、特許を受けることができない。
　
第５　むすび
　以上のとおり、本願発明は、引用出願１に記載された発明と同一であり、しかも、本件出願の発明者が上記引用出願１に記載された発明の発明者と同一であるとも、また、本件出願時に、その出願人が上記引用出願１の出願人と同一であるとも認められないので、本願発明は、特許法第２９条の２の規定により、特許を受けることができない。
　よって、結論のとおり審決する。